(57)【特許請求の範囲】
【請求項１】
遊技盤に取付けられた装置本体に開閉可能に配設され、開放時に遊技球の入賞口への入賞を許容すると共に閉成時に遊技球の入賞口への入賞を阻止する一対の第１,第２開閉部材と、前記装置本体に配設され、第１作動部材を往復駆動させる駆動装置と、前記第１作動部材と第１,第２開閉部材とに連繋され、第１作動部材の往復動作に連動して第１,第２開閉部材を開閉作動させる第２作動部材とを備え、前記駆動装置の非作動時において前記第１作動部材により、前記第１,第２開閉部材を閉成位置から開放位置へ作動させる前記第２作動部材の動作を規制するよう構成した入賞装置において、
前記第２作動部材における第１作動部材との連繋部から第１開閉部材との連繋部までの部位を、前記第１作動部材により動作が規制された状態で第１開閉部材における遊技球略１球分の強制開放を許容する量だけ撓み得るよう弾性変形可能に構成した
ことを特徴とする入賞装置。
【請求項２】
遊技盤に取付けられた装置本体に開閉可能に配設され、開放時に遊技球の入賞口への入賞を許容する一対の第１,第２開閉部材と、第１,第２開閉部材の上方に、閉成時における第１,第２開閉部材の上端との離間間隔が遊技球の直径より小さくなるよう設けられ、第１,第２開閉部材の閉成時に遊技球の入賞口への入賞を阻止する規制部材と、前記装置本体に配設され、第１作動部材を往復駆動させる駆動装置と、前記第１作動部材と第１,第２開閉部材とに連繋され、第１作動部材の往復動作に連動して第１,第２開閉部材を開閉作動させる第２作動部材とを備え、前記駆動装置の非作動時において前記第１作動部材により、前記第１,第２開閉部材を閉成位置から開放位置へ作動させる前記第２作動部材の動作を規制するよう構成した入賞装置において、
前記第２作動部材における第１作動部材との連繋部から第１開閉部材との連繋部までの部位を、前記第１作動部材により動作が規制された状態で第１開閉部材における遊技球略１球分の強制開放を許容する量だけ撓み得るよう弾性変形可能に構成した
ことを特徴とする入賞装置。
【請求項３】
前記第１作動部材は、前記第２作動部材に対して前記第２開閉部材との連繋部側に偏倚して連繋されている請求項１または２記載の入賞装置。
【請求項４】
前記第２作動部材は、前記第１,第２開閉部材の夫々に連繋する一対の第１,第２アーム部材と、両第１,第２アーム部材を連結する連結部材とからなり、前記駆動装置は、前記第２開閉部材に連繋する第２アーム部材の後方側に偏倚して配設され、前記入賞口に連通して遊技球を後方へ案内する下方案内路が、前記連結部材および両第１,第２アーム部材によって囲まれる空間に延在するよう装置本体に設けられると共に、前記規制部材に設けられた上方入賞口に連通して遊技球を後方へ案内する上方案内路が、下方案内路の上方で、かつ駆動装置の側方位置に延在するよう装置本体に設けられている請求項２記載の入賞装置。
【請求項５】
前記上方案内路に通入した遊技球を検知する上検知スイッチを、該上方案内路における駆動装置の側方位置に配設すると共に、前記下方案内路に通入した遊技球を検知する下検知スイッチを、該下方案内路における駆動装置の前方側に配設し、上方案内路および下方案内路における対応する検知スイッチで検知された遊技球を下方へ通出するよう構成した請求項４記載の入賞装置。
【発明の詳細な説明】
【技術分野】
【０００１】
この発明は、遊技盤に設置された開閉部材が開閉することで、遊技球の入賞口への入賞が許容・阻止される入賞装置に関するものである。
【背景技術】
【０００２】
代表的な遊技機であるパチンコ式遊技機は、機内にセットされる遊技盤の遊技領域に、各種図柄を変動および停止表示することで図柄変動ゲームを行なう液晶式やドラム式等の図柄表示装置が配設され、該図柄表示装置の下方位置に、図柄表示装置での図柄変動ゲームを開始させる契機となる始動入賞装置(入賞装置)が配設されている。そして、前記遊技領域を流下する遊技球(パチンコ球)が、前記始動入賞装置に１箇所あるいは上下の位置関係で２箇所に設けた入賞口に入賞することで、図柄表示装置での図柄変動ゲームを開始させると共に、少数の遊技球を賞球として払出すよう構成されている。
【０００３】
前記入賞装置は、羽根とよばれる一対の開閉部材を開閉自在に備え、該開閉部材が開閉作動することで、遊技球の入賞口への入賞を制御している。この種の入賞装置は、常には、開閉部材が閉状態となって遊技球の入賞が阻止されると共に、所定条件のもとで駆動手段が開閉部材を開放作動して、遊技球の入賞口への入賞を許容するようになっている。
【０００４】
ところで、このような入賞装置に対し、遊技機の隙間から遊技領域内へ侵入させた針金等で前記開閉部材を強制的に開放し、遊技球を入賞させる不正行為(いわゆる、ゴト行為)が近年多発しており、問題となっている。そこで、このような不正行為に対処するものとして、例えば、特許文献１に示す入賞装置が提案されている。特許文献１の入賞装置は、開閉部材の閉成時に、該開閉部材の駆動源であるソレノイド以外の外力が開閉部材に加えられた場合には、該開閉部材に設けられた操作子がソレノイドのプランジャに当接規制されて、開閉部材の強制開放が阻止されるようになっている。
【特許文献１】特開２００３−３４００２０号公報
【発明の開示】
【発明が解決しようとする課題】
【０００５】
このように、特許文献１に示す入賞装置は、ソレノイドのプランジャに前記操作子が当接規制されることで、ソレノイドの非作動時における開閉部材の開放を完全に不能とし得る。ところが、遊技機の検査工程で実施される入賞装置の賞球確認作業においては、ソレノイドの非作動時に開閉部材を開放させて遊技球を入賞させることが必要である。しかるに、特許文献１の如く開閉部材の強制的な開放を全く不能にしてしまうと、この賞球確認作業が非常に非効率となってしまい、場合によっては賞球確認ができなくなってしまう畏れがあった。
【０００６】
そこで本発明は、従来の入賞装置に内在する前記問題に鑑み、これを好適に解決するべく提案されたものであって、開閉部材の強制開放による遊技球の不正な入賞を抑制し得ると共に、賞球確認作業も効率的に行ない得る入賞装置を提供することを目的とする。
【課題を解決するための手段】
【０００７】
前記課題を克服し、所期の目的を達成するため、請求項１に係る入賞装置は、
遊技盤(10)に取付けられた装置本体(38)に開閉可能に配設され、開放時に遊技球(S)の入賞口(46)への入賞を許容すると共に閉成時に遊技球(S)の入賞口(46)への入賞を阻止する一対の第１,第２開閉部材(26,28)と、前記装置本体(38)に配設され、第１作動部材(54)を往復駆動させる駆動装置(52)と、前記第１作動部材(54)と第１,第２開閉部材(26,28)とに連繋され、第１作動部材(54)の往復動作に連動して第１,第２開閉部材(26,28)を開閉作動させる第２作動部材(56)とを備え、前記駆動装置(52)の非作動時において前記第１作動部材(54)により、前記第１,第２開閉部材(26,28)を閉成位置から開放位置へ作動させる前記第２作動部材(56)の動作を規制するよう構成した入賞装置において、
前記第２作動部材(56)における第１作動部材(54)との連繋部(80)から第１開閉部材(26)との連繋部までの部位(82)を、前記第１作動部材(54)により動作が規制された状態で第１開閉部材(26)における遊技球略１球分の強制開放を許容する量だけ撓み得るよう弾性変形可能に構成したことを特徴とする。
請求項１の発明によれば、駆動装置の非作動時に、第１作動部材が第２作動部材を規制して第１,第２開閉部材を閉成状態に維持するので、第１,第２開閉部材の強制的な開放を抑制し得る。しかも、第２作動部材における第１作動部材との連繋部から第１開閉部材との連繋部までの部位を可撓可能に構成したので、第１作動部材により第２作動部材が規制された状態であっても、第１開閉部材を遊技球略１球分だけ強制的に開放することができる。従って、遊技機の検査工程で実施される入賞装置の賞球確認を効率的に行なうことができる。しかも、第１,第２開閉部材のうち、強制開放し得るのは第１開閉部材だけであり、しかも開放量は遊技球略１球分だけに制限されるので、不正な目的で第１開閉部材が開放されたとしても、入賞口に入賞し得る遊技球の数量を僅かに抑制することができる。
【０００８】
前記課題を克服し、所期の目的を達成するため、請求項２に係る入賞装置は、
遊技盤(10)に取付けられた装置本体(38)に開閉可能に配設され、開放時に遊技球(S)の入賞口(46)への入賞を許容する一対の第１,第２開閉部材(26,28)と、第１,第２開閉部材(26,28)の上方に、閉成時における第１,第２開閉部材(26,28)の上端との離間間隔が遊技球(S)の直径より小さくなるよう設けられ、第１,第２開閉部材(26,28)の閉成時に遊技球(S)の入賞口(46)への入賞を阻止する規制部材(44)と、前記装置本体(38)に配設され、第１作動部材(54)を往復駆動させる駆動装置(52)と、前記第１作動部材(54)と第１,第２開閉部材(26,28)とに連繋され、第１作動部材(54)の往復動作に連動して第１,第２開閉部材(26,28)を開閉作動させる第２作動部材(56)とを備え、前記駆動装置(52)の非作動時において前記第１作動部材(54)により、前記第１,第２開閉部材(26,28)を閉成位置から開放位置へ作動させる前記第２作動部材(56)の動作を規制するよう構成した入賞装置において、
前記第２作動部材(56)における第１作動部材(54)との連繋部(80)から第１開閉部材(26)との連繋部までの部位(82)を、前記第１作動部材(54)により動作が規制された状態で第１開閉部材(26)における遊技球略１球分の強制開放を許容する量だけ撓み得るよう弾性変形可能に構成したことを特徴とする。
請求項２の発明によれば、第１,第２開閉部材の閉成時に、遊技球の入賞口への入賞を規制部材によって阻止するようにした入賞装置において、駆動装置の非作動時に、第１作動部材が第２作動部材を規制して第１,第２開閉部材を閉成状態に維持するので、第１,第２開閉部材の強制的な開放を抑制し得る。しかも、第２作動部材における第１作動部材との連繋部から第１開閉部材との連繋部までの部位を可撓可能に構成したので、第１作動部材により第２作動部材が規制された状態であっても、第１開閉部材を遊技球略１球分だけ強制的に開放することができる。従って、遊技機の検査工程で実施される入賞装置の賞球確認を効率的に行なうことができる。しかも、第１,第２開閉部材のうち、強制開放し得るのは第１開閉部材だけであり、しかも開放量は遊技球略１球分だけに制限されるので、不正な目的で第１開閉部材が開放されたとしても、入賞口に入賞し得る遊技球の数量を僅かに抑制することができる。
【０００９】
請求項３に係る入賞装置は、前記第１作動部材(54)を、前記第２作動部材(56)に対して前記第２開閉部材(28)との連繋部(80)側に偏倚して連繋させた。
請求項３の発明によれば、第１作動部材を、第２作動部材に対して第２開閉部材との連繋部側に偏倚して連繋させたので、第２作動部材における第１作動部材との連繋部から第１開閉部材との連繋部までの距離は、第１作動部材との連繋部から第２開閉部材との連繋部までの距離よりも長くなる。従って、第１開閉部材を強制的に開放させると、第１作動部材における第２作動部材との連繋部から第１開閉部材との連繋部までの部位が撓んで、該第１開閉部材を遊技球略１球分だけ開放させることができる。しかも、第１作動部材を偏倚させて連繋するだけで第１開閉部材における遊技球略１球分の強制開放を許容し得るので、新たな部材や材質変更等を必要とせず製造コストを低廉に抑えることができる。なお、第２開閉部材を強制開放したとしても、遊技球１球分より大きく開放させることはできないので、該第２開閉部材からの不正な遊技球の入賞を阻止し得る。
【００１０】
請求項４に係る入賞装置は、前記第２作動部材(56)を、前記第１,第２開閉部材(26,28)の夫々に連繋する一対の第１,第２アーム部材(76,78)と、両第１,第２アーム部材(76,78)を連結する連結部材(84)とから構成し、前記駆動装置(52)を、前記第２開閉部材(28)に連繋する第２アーム部材(78)の後方側に偏倚して配設し、前記入賞口(46)に連通して遊技球(S)を後方へ案内する下方案内路(60)を、前記連結部材(84)および両第１,第２アーム部材(76,78)によって囲まれる空間(90)に延在するよう装置本体(38)に設けると共に、前記規制部材(44)に設けられた上方入賞口(42)に連通して遊技球(S)を後方へ案内する上方案内路(58)を、下方案内路(60)の上方で、かつ駆動装置(52)の側方位置に延在するよう装置本体(38)に設けた。
請求項４の発明によれば、入賞口を上下に備えた入賞装置を提供することができ、遊技機の趣向を高めることが可能となる。また、連結部材や上下の案内路等を装置本体に一体的に設けて入賞装置をユニット化したので、遊技機の製造工程での取付けや持ち運び等の取扱いが容易となって作業効率を向上し得る。また、駆動装置を第２アーム部材の後方側に偏倚して設け、上方案内路および下方案内路をスペース的に効率よく配置したので、入賞装置全体の寸法を小さくすることができる。
【００１１】
請求項５に係る入賞装置は、前記上方案内路(58)に通入した遊技球(S)を検知する上検知スイッチ(86)を、該上方案内路(58)における駆動装置(52)の側方位置に配設すると共に、前記下方案内路(60)に通入した遊技球(S)を検知する下検知スイッチ(88)を、該下方案内路(60)における駆動装置(52)の前方側に配設し、上方案内路(58)および下方案内路(60)における対応する検知スイッチ(86,88)で検知された遊技球(S)を下方へ通出するよう構成した。
請求項５の発明によれば、上方案内路および下方案内路において、対応する上検知スイッチおよび下検知スイッチを前後の位置関係で配設すると共に、両検知スイッチで検知した遊技球を下方へ通出するよう構成したので、入賞装置のスペースを有効利用することができ、装置全体をコンパクトにし得る。
【発明の効果】
【００１２】
本発明に係る入賞装置によれば、第１,第２開閉部材の強制開放を抑制し得ると共に、検査工程における賞球確認作業を効率的に行ない得る。
【発明を実施するための最良の形態】
【００１３】
次に、本発明に係る入賞装置につき、好適な実施例を挙げて、添付図面を参照しながら、以下詳細に説明する。なお実施例では、遊技球を使用して遊技を行なう一般的な遊技機に本発明の入賞装置を設けた場合を説明する。また、以下の説明において前・後および左・右とは、特に断りのない限り、図１に示すように遊技機の遊技盤を正面側から見た場合において指称するものとする。
【実施例】
【００１４】
図１は遊技機に設けられる遊技盤１０の正面図を示す。実施例の遊技盤１０は、略矩形状に形成されて、その前面側に略円形状に湾曲するレール１２が取付けられており、該レール１２により画成される遊技領域１４に、図示しない発射装置によって遊技球Ｓを打出すようになっている。また、前記遊技盤１０の上方位置には、各種の特別図柄を変動して特別図柄変動ゲームを行なう液晶式やドラム式等の特別図柄表示装置１６を備えた装飾部材１８が配設されると共に、該装飾部材１８の下方位置に、遊技領域１４を流下する遊技球Ｓが入賞可能な始動入賞装置(入賞装置)２０が配設されており、該始動入賞装置２０に遊技球Ｓが入賞することで、特別図柄表示装置１６での特別図柄変動ゲームが開始される。そして、特別図柄変動ゲームの結果、前記特別図柄表示装置１６に特定の図柄組合わせ(例えば、同一図柄の三つ揃)が表示されることで、遊技者に有利な特別遊技(所謂大当り)が発生するよう構成されている。更に、前記装飾部材１８の右上には、各種の普通図柄を変動して普通図柄変動ゲームを行なうＬＥＤ表示式の普通図柄表示装置２２が設けられており、前記遊技盤１０における装飾部材１８の左位置に配設された始動通過口２４に遊技球Ｓが通過することで、普通図柄表示装置２２での普通図柄変動ゲームが開始されるようになっている。そして、普通図柄変動ゲームの結果、前記普通図柄表示装置２２に当り図柄が表示(例えば○が点灯)されることで、前記始動入賞装置２０の第１,第２羽根部材(第１,第２開閉部材)２６,２８(後述)が開放状態になるよう構成されている。なお、前記始動通過口２４には、遊技球Ｓの通過を検出する球検出センサ(図示せず)を設けてある。
【００１５】
前記遊技盤１０の遊技領域１４における始動入賞装置２０の下方位置には、特別遊技の発生時に開放して遊技球Ｓの入賞を許容する特別入賞装置３０が配設されており、該特別入賞装置３０に遊技球Ｓが入賞することで、遊技機裏側に配設した球払出装置(図示せず)により、機表側に設けた球皿(図示せず)に賞球が払出されるようになっている。なお、遊技盤１０には、遊技球Ｓが入賞可能な一般入賞装置３２が複数箇所に設けられると共に、遊技領域１４の最下方位置には、始動入賞装置２０や特別入賞装置３０、一般入賞装置３２に入賞しない遊技球Ｓを排出するアウト口３４を設けてある。
【００１６】
次に、前記始動入賞装置２０について説明する。実施例に係る始動入賞装置２０は、前記遊技盤１０に配設した際に、該遊技盤１０の前面側に臨む入賞部３６(図２参照)と、遊技盤１０より裏側に位置する装置本体３８(図３参照)とから構成される。前記入賞部３６は、前記遊技盤１０に取着される取付部材４０と、該取付部材４０の前側に一体成形されて、遊技領域１４を流下する遊技球Ｓが入賞可能な上方に開口する上方入賞口４２を有する規制部材４４と、取付部材４０の前側における規制部材４４の下方に設けられて、遊技領域１４を流下する遊技球Ｓが入賞可能な下方入賞口(入賞口)４６を有する飾り部材４８と、取付部材４０および飾り部材４８の間に配設されて下方入賞口４６を開閉する第１羽根部材２６および第２羽根部材２８とから構成される。
【００１７】
前記装置本体３８には、図３、図１０および図１１に示すように、遊技盤１０裏側に取付けられるケーシング５０内部を前後方向に動作するプランジャ５２ａを備え、該プランジャ５２ａに連繋する第１作動部材５４を前後方向に往復駆動させるソレノイド(駆動装置)５２と、第１作動部材５４と前記第１,第２羽根部材２６,２８とに連繋され、第１作動部材５４の往復動作に連動して第１,第２羽根部材２６,２８を開閉作動させる第２作動部材５６とが配設されて、１つのユニットを構成している。また、装置本体３８には、図４および図５に示すように、前記規制部材４４の上方入賞口４２に連通して、該上方入賞口４２に入賞した遊技球Ｓを遊技盤１０の裏側へ転動させる上方案内路５８と、前記飾り部材４８の下方入賞口４６に連通して、該下方入賞口４６に入賞した遊技球Ｓを遊技盤１０の裏側へ転動させる下方案内路６０とが上下の関係で形成されて、上下の位置関係で設けた２つの入賞口(上方,下方入賞口４２,４６)に入賞した遊技球Ｓを夫々後方側へ案内するようになっている。
【００１８】
前記規制部材４４は、図２に示すように、前記取付部材４０における左右方向の略中央位置の上端部に、前方へ向けて突出するよう取付部材４０に一体的に形成され、該規制部材４４の下方位置の取付部材４０に前記飾り部材４８が着脱自在にネジ止めされる。また、図６および図７に示すように、前記取付部材４０には、飾り部材４８の裏側に臨む位置に前記下方案内路６０に連通する開口部６２が前後方向に開設されている。更に、取付部材４０における裏側には、開口部６２を挟む左右両側に、前記ケーシング５０の前方左右両側に設けた固定孔５０ａ,５０ａに挿通される一対の挿通軸部６４,６４が突設され、該挿通軸部６４,６４をケーシング５０にネジ止めすることで、取付部材４０がケーシング５０に固定されている。前記開口部６２の下方両側には、第１,第２羽根部材２６,２８に設けた後述する突起部２６ａ,２８ａと係合して両羽根部材２６,２８の開放位置および閉成位置を規制する第１係合部６２ａ,６２ａが形成してある。
【００１９】
前記規制部材４４は、図４および図５に示すように、前記取付部材４０の前方へ突出すると共に上方および後方へ開口するよう形成されて、該規制部材４４の上方開口が前記上方入賞口４２として機能するようになっている。なお、前記規制部材４４の上方開口は、１個の遊技球Ｓが通過可能な開口寸法に設定される。前記取付部材４０の裏側には、前記規制部材４４と対応する位置に、後方へ向けて延出する樋状部６６が形成されている。この樋状部６６は、その全長に亘って上方に開口する半円筒状に形成されており(図６,図７参照)、前記上方入賞口４２に入賞した遊技球Ｓは規制部材４４から樋状部６６を介して遊技盤１０後方へ案内され、前記上方案内路５８へ送られる。
【００２０】
前記飾り部材４８は、その前面部６８が前記取付部材４０より所定間隔離間した状態で配設され、飾り部材４８と取付部材４０との間に前記第１,第２羽根部材２６,２８を収容するためのスペース７０が画成されている。また、飾り部材４８は全体が上方に開口しており、この上方開口が前記下方入賞口４６として機能する。なお、前記規制部材４４の下端と飾り部材４８の上端との離間間隔(最近接距離)は、遊技球Ｓの直径よりも小さくなるよう設定されている。すなわち、規制部材４４と飾り部材４８との最近接距離を小さく設定することで、遊技球Ｓが下方入賞口４６における飾り部材４８の中央部上方側から入賞するのを規制している。図６に示すように、前記飾り部材４８における前記下方入賞口４６の下方位置に、下方入賞口４６に入賞した遊技球Ｓを前記取付部材４０の開口部６２へ向けて誘導する球誘導部７２が形成されている。すなわち、前記下方入賞口４６から入賞した遊技球Ｓは、前記球誘導部７２上を転動して取付部材４０の開口部６２へ向けて誘導され、前記下方案内路６０へ送られるようになっている。なお、前記飾り部材４８における下方入賞口４６の左右に離間する位置には、前記羽根部材２６,２８を支持する支軸４８ａ,４８ａが後方へ向けて延在するよう形成してある。また、図８および図９に示すように、飾り部材４８の前面部６８の裏面に円弧状の側面を有する一対の第２係合部６８ａ,６８ａが突出成形され、前記取付部材４０の第１係合部６２ａ,６２ａと同様、第１,第２羽根部材２６,２８の開放位置および閉成位置を規制するべく機能する。
【００２１】
前記第１羽根部材２６および第２羽根部材２８は、前記下方入賞口４６を挟む左右両側に位置する左右一対の部材であって、互いに左右対称な形状で上方に向かって徐々に薄肉となる所謂フラップ状に形成されている。各羽根部材２６,２８の下部位置には、前後方向に貫通する軸孔２６ｂ,２８ｂが形成されており、該軸孔２６ｂ,２８ｂに前記飾り部材４８の支軸４８ａ,４８ａを挿通することで、第１,第２羽根部材２６,２８が飾り部材４８に揺動可能に組付けられている。そして、第１,第２羽根部材２６,２８の上端部(先端部)が、相互に近接する方向および相互に離間する方向へ揺動するようになっている。
【００２２】
ここで、第１,第２羽根部材２６,２８の上端部を相互に離間させた開放状態(図９参照)では、該第１,第２羽根部材２６,２８と前記規制部材４４との間から前記下方入賞口４６への遊技球Ｓの入賞を許容する。但し、規制部材４４と飾り部材４８とは幅方向中央部で最も近接しているので、第１,第２羽根部材２６,２８が開放位置にあっても遊技球Ｓは飾り部材４８の中央部上方側から入賞することはできず、遊技球Ｓは下方入賞口４６に対して左右斜め上方から入賞するように設定されている。また、第１,第２羽根部材２６,２８の上端部を相互に近接させた閉成状態(図８参照)では、該第１,第２羽根部材２６,２８の上端部が規制部材４４の直下に位置し、両羽根部材２６,２８および規制部材４４により、下方入賞口４６への遊技球Ｓの入賞が規制される。但し、実施例においては、閉成時における第１,第２羽根部材２６,２８の両上端部の離間距離は、遊技球Ｓの直径よりも大きく設定されている。また、後述するように、閉成状態にある第１,第２羽根部材２６,２８のうち、第１羽根部材２６に関しては、ソレノイド５２が非励磁状態であっても遊技球略１球分だけ強制的開放させることが可能となっている(図２参照)。
【００２３】
前記第１,第２羽根部材２６,２８における軸孔２６ｂ,２８ｂの近傍には、前記取付部材４０に開設した開口部６２を介して取付部材４０の裏側まで延在する突起部２６ａ,２８ａが夫々形成されており、該突起部２６ａ,２８ａに対して前記第２作動部材５６が係合するようになっている。また、前記突起部２６ａ,２８ａは、前述した取付部材４０の開口部６２に設けた第１係合部６２ａ,６２ａにも係合するようになっており、図６に示すように該突起部２６ａ,２８ａが第１係合部６２ａ,６２ａの下部に係合することで、第１,第２羽根部材２６,２８の閉成位置が規定され、また、図７に示すように突起部２６ａ,２８ａが第１係合部６２ａ,６２ａの上部に係合することで、第１,第２羽根部材２６,２８の開放位置が規制されるように構成される。更に、図８または図９に示すように、前記第１,第２羽根部材２６,２８の前面側には、弧状の溝部２６ｃ,２８ｃが凹設され、前記飾り部材４８の第２係合部６８ａ,６８ａがこの溝部２６ｃ,２８ｃに臨むようになっている。そして、前記第２係合部６８ａ,６８ａが溝部２６ｃ,２８ｃの上部に当接することで、第１,第２羽根部材２６,２８の閉成位置を規制する(図８参照)と共に、第２係合部６８ａ,６８ａが溝部２６ｃ,２８ｃの下部に当接することで、第１,第２羽根部材２６,２８の開放位置を規制する(図９参照)。なお、第１係合部６２ａ,６２ａと溝部２６ｃ,２８ｃで規制される第１,第２羽根部材２６,２８の開放位置は、該第１,第２羽根部材２６,２８の外側面２６ｄ,２８ｄが、飾り部材４８における底部４８ｂの両側縁に接触しないよう設定されている。
【００２４】
前述した装置本体３８の構成をより詳細に説明すると、前記ケーシング５０には、図３に示すように、その後方側における前記第２羽根部材２８側(図３では右側)の外側面に、第１,第２羽根部材２６,２８の駆動源としてのソレノイド５２が取付けられている。このソレノイド５２は、通電により磁力を発生する本体５２ｂと、該本体５２ｂに挿通されると共に前記ケーシング５０内部に延在して、発生した磁力により直線的に進退移動するプランジャ５２ａとから構成される。また、前記プランジャ５２ａの前端部には、円盤状の係合板５２ｃが設けられると共に、該係合板５２ｃと本体５２ｂとの間にはバネ等の弾性部材７４が介装されている。そして、前記ソレノイド５２に通電していない非励磁状態(非作動時)においては、弾性部材７４の弾性力によりプランジャ５２ａ(係合板５２ｃ)が常には前方に向けて付勢されて、ソレノイド５２に通電した励磁状態(作動時)においては、弾性部材７４の弾性力に抗してプランジャ５２ａ(係合板５２ｃ)が後方に移動するようになっている。そして、ソレノイド５２が励磁状態となることで、前記第１作動部材５４および第２作動部材５６を介して、前記第１,第２羽根部材２６,２８が開放され、また、ソレノイド５２が非励磁状態となることで、第１作動部材５４および第２作動部材５６を介して第１,第２羽根部材２６,２８が閉成されるよう構成される。
【００２５】
前記第１作動部材５４は、前記ケーシング５０内部におけるソレノイド５２の前方側(第２羽根部材２８の後方側)に、前後方向に移動自在に配設される。また、第１作動部材５４の後端が前記係合板５２ｃに係合して、ソレノイド５２の励磁・非励磁に伴ないプランジャ５２ａと共に往復駆動される。すなわち、ソレノイド５２の非励磁状態においては、第１作動部材５４は前方位置で停止固定されると共に、ソレノイド５２が励磁すると、第１作動部材５４はプランジャ５２ａと共に後方へスライドするよう構成されている。また、第１作動部材５４の前方側には、前記第２作動部材５６と連繋するための連繋孔５４ａが開設されると共に、ソレノイド５２が非励磁状態にあるときに、第２作動部材５６の被当接部８０ｂ(後述)に当接係合して第２作動部材５６の揺動を阻止する当接部５４ｂが形成されている。
【００２６】
前記第２作動部材５６は、図１０および図１１に示すように、前端が上下の二股状に形成されて前記第１羽根部材２６に形成した突起部２６ａの後端が突入係合する第１アーム部材７６と、同じく前端が上下の二股状に形成されて前記第２羽根部材２８に形成した突起部２８ａの後端が突入係合する第２アーム部材７８と、両アーム部材７６,７８を後部上側で連結する略弧状の連結部材８４とから構成される。また、前記第１,第２アーム部材７６,７８の相互に離間する側面には、外側に向けて揺動軸７６ａ,７８ａが夫々突設されており、該揺動軸７６ａ,７８ａをケーシング５０に設けた所要の軸孔(図示せず)に挿通することで、第２作動部材５６は、ケーシング５０内において前記揺動軸７６ａ,７８ａを軸として前端が上下動するよう揺動可能に配設される。なお、第２作動部材５６の連結部材８４と第１,第２アーム部材７６,７８によって画成される空間９０に、前記下方案内路６０が前後方向に延在するようになっている。また、前記揺動軸７６ａ,７８ａを、夫々第１,第２アーム部材７６,７８の外側面に離間して設けることで、前記連結部材８４の下方に空間９０を画成することが可能となる。
【００２７】
前記第２作動部材５６は、前記第１作動部材５４に対して前記第２羽根部材２８との連繋部側(第２アーム部材７８の後方側)に偏倚して連繋されている。すなわち、図１０および図１１に示すように、第１作動部材５４と第２作動部材５６との連繋部８０が、前記連結部材８４の幅方向中央部ではなく、第２羽根部材２８側に偏倚した位置に設けられている。具体的には、前記連結部材８４における第２アーム部材７８側に、前記第１作動部材５４の連繋孔５４ａと係合する係合突部８０ａが形成され、該係合突部８０ａが連繋孔５４ａに臨むことで第１作動部材５４と第２作動部材５６との連繋が達成されている。更に、連結部材８４の前記係合突部８０ａに近接する前方位置に被当接部８０ｂが形成され、該被当接部８０ｂが第１作動部材５４の当接部５４ｂに当接することで、ソレノイド５２の非励磁状態における第２作動部材５６の揺動を規制している。すなわち、ソレノイド５２の非励磁状態においては、図１２に示すように、前記被当接部８０ｂと当接部５４ｂとが当接係合して、第２作動部材５６の揺動が規制される。従って、この状態(第１,第２羽根部材２６,２８の閉成状態)においては、第２作動部材５６の開放方向(図１２では時計回り方向)への揺動が規制されて、第１,第２羽根部材２６,２８の強制開放は抑制される。また、ソレノイド５２の励磁状態においては、図１３に示すように、前記第１作動部材５４が後方へスライドすることで、前記当接部５４ｂおよび被当接部８０ｂの当接係合が解除されると共に、前記連繋孔５４ａに係合した係合突部８０ａが後方へ引っ張られ、第２作動部材５６が開放方向へ揺動するようになっている。
【００２８】
更に、前記第２作動部材５６における第１作動部材５４との連繋部８０から前記第１羽根部材２６との連繋部までの部位(すなわち、前記連繋部８０から第１アーム部材７６の前端までの部位(以下、可撓領域８２と呼ぶ))は、前記第１作動部材５４により動作が規制された状態で第１羽根部材２６における遊技球略１球分の強制開放を許容する量だけ撓み得るよう弾性変形可能に構成されている。実施例に係る第２作動部材５６の弾性変形についてより詳細に説明すると、前記第２作動部材５６を構成する第１,第２アーム部材７６,７８および連結部材８４は、全体が弾性を備えた材質から形成されている。そして、前述のように前記連繋部８０は第２アーム部材７８側へ偏倚しているので、連繋部８０から第１アーム部材７６の前端までの距離(すなわち、前記可撓領域８２の長さ寸法Ｌ1+Ｌ2(Ｌ1:第１アーム部材７６の長さ，Ｌ2:連結部材８４の幅),図１０参照)は、連繋部８０から第２アーム部材７８までの距離(すなわち、第２アーム部材７８の長さ寸法Ｌ1)よりも長くなる。換言すれば、前記可撓領域８２の弾性変形量(撓み量)は、第２アーム部材７８の弾性変形量よりも大きくなる。また、前記第１,第２アーム部材７６,７８の上下方向の厚み寸法は、連結部材８４よりも大きく設定されているため、第１,第２アーム部材７６,７８の弾性変形量は連結部材８４に比べて僅かなものとなる。しかも、前記連結部材８４はアーチ状に成形されていることから、連結部材８４は非常に撓み易くなっている。従って、この観点からも、連結部材８４を含む前記可撓領域８２は、前記第２アーム部材７８より弾性変形量が大きくなっていると云える。更に、前記可撓領域８２の弾性変形量は、第１,第２羽根部材２６,２８の閉成状態において、第１羽根部材２６を遊技球略１球分だけ強制開放し得る値に適宜設定されている。従って、第１,第２羽根部材２６,２８の閉成時に第１羽根部材２６を強制的に開放させた場合、前記可撓領域８２が弾性変形することで前記第１アーム部材７６の前端が上昇し、第１羽根部材２６は遊技球略１球分の開放を許容される(図２参照)。一方、前記第２羽根部材２８を強制的に開放したとしても、この場合に撓み得るのは第２アーム部材７８だけであるので、その弾性変形量は前記可撓領域８２に比べて相対的に小さくなる。従って、第２羽根部材２８を強制開放し得る量は、第１羽根部材２６よりも小さくなる。すなわち、第２羽根部材２８を強制的に開放し得る量は、遊技球１球分よりも小さくなり、第２羽根部材２８を強制開放して遊技球Ｓを入賞させることは防止される。なお、第２作動部材５６を形成する素材の弾性率や、前記連繋部８０の位置等を適宜調整することで、可撓領域８２の弾性変形量の変更は可能である。
【００２９】
前記ケーシング５０の上部には、上方入賞口４２に連通する前記上方案内路５８が、前記ソレノイド５２の側方に延在するよう形成されている。すなわち、前記上方案内路５８は、前記ケーシング５０における第１アーム部材７６側に偏倚して延在している。また、前記下方入賞口４６に連通して遊技球Ｓを後方へ案内する前記下方案内路６０は、前記第２作動部材５６が画成する空間９０に延在して、前記上方案内路５８の下方に位置している。前記上方案内路５８の下流端部には、該上方案内路５８を流通する遊技球Ｓを下方に排出させる上方球排出口５８ａが設けられ、また前記下方案内路６０の下流端部には、該下方案内路６０を流通する遊技球Ｓを下方に排出させる下方球排出口６０ａが設けられている。更に、図４に示すように、前記上方案内路５８における下流側の下面には、通孔部８６ａを上方球排出口５８ａに対応させた状態で上方球検出センサ(上検知スイッチ)８６が配設され、上方入賞口４２に入賞した遊技球Ｓを該上方球検出センサ８６で検出するようになっている。また、図５に示すように、下方案内路６０における下流側の下面に、通孔部８８ａを下方球排出口６０ａに対応させた状態で下方球検出センサ(下検知スイッチ)８８が配設され、下方入賞口４６に入賞した遊技球Ｓを該下方球検出センサ８８で検出するようになっている。そして、これら上方・下方球検出センサ８６,８８が遊技球Ｓを検出することで、前記特別図柄表示装置１６での特別図柄変動ゲームが開始されると共に、前記球払出装置により賞球が払出される。
【００３０】
ここで、前記ソレノイド５２は、図１４および図１５に示すように、ケーシング５０の幅方向の一方側(図１４,１５の右側)に偏倚し、また、図４および図５に示すように、ケーシング５０の後部における上下方向中央位置に設けられている。また図１４に示す如く、前記上方案内路５８は、ケーシング５０の他方側(図１４の左側)に延在すると共に、前記下方案内路６０は、図４および図１５に示す如く、該上方案内路５８の下方で、かつケーシング５０の幅方向中央位置に延在している。しかも、上方案内路５８の後端に開設される前記上方球排出口５８ａはソレノイド５２の真横に位置し、これに合わせて前記上方球検出センサ８６の通孔部８６ａもソレノイド５２の側方に位置している。従って、上方入賞口４２に入賞した遊技球Ｓは、これら上方球排出口５８ａおよび通孔部８６ａを介して、ソレノイド５２の側方を落下することとなる。一方、図１５に示すように、前記下方案内路６０の後端に開設される前記下方球排出口６０ａはソレノイド５２の前方かつ側方に位置し、該下方球排出口６０ａに対応して設けられる前記下方球検出センサ８８の通孔部８８ａも、ソレノイド５２の前方かつ側方に位置している。従って、前記下方入賞口４６に入賞した遊技球Ｓは、前記下方球排出口６０ａおよび通孔部８８ａを介して、前記ソレノイド５２の前方かつ側方を排出されることとなる。すなわち、上方案内路５８を流下した遊技球Ｓはソレノイド５２の側方を通って下方へ排出されるのに対し、下方案内路６０を流下した遊技球Ｓは、ソレノイド５２の手前側を落下放出されるようになっている(図４および図５に示す波線矢印参照)。そして、このようなソレノイド５２、上方案内路５８および下方案内路６０の配置構造を採用することで、ケーシング５０の内部スペースを拡張することなく、両案内路５８,６０およびソレノイド５２の相互の干渉が防止されている。なお、前記上方球検出センサ８６が遊技球Ｓを検出した場合と、下方球検出センサ８８が遊技球Ｓを検出した場合とでは、前記球払出装置が払出す賞球数が異なるよう設定されており、例えば、上方球検出センサ８６が遊技球Ｓを検出した場合には３個の賞球が払出され、下方球検出センサ８８が遊技球Ｓを検出した場合には４個の賞球が払出される。すなわち、前記始動入賞装置２０に２つの入賞口４２,４６と、夫々に対応して球検出センサ８６,８８とを設けることで、異なる賞球数の払出しを行ない得るようにして遊技の趣向向上が図られている。また、前述のように第１,第２羽根部材２６,２８は、普通図柄表示装置２２に当り図柄が表示された場合に開放して下方入賞口４６への入賞が許容される構造であるため、常に遊技球Ｓを入賞可能な上方入賞口４２とは異なるゲーム特性を提供することができる。すなわち、遊技者に下方入賞口４６の開放条件となる普通図柄ゲームへの興味を抱かせることができると共に、第１,第２羽根部材２６,２８の開放時に遊技球Ｓが入賞するか否かのゲーム感覚を楽しむことができる。
【００３１】
〔実施例の作用〕
次に、実施例に係る始動入賞装置２０の作用につき説明する。先ず、実施例の始動入賞装置２０が設けられた遊技機の遊技手順を概略的に説明すると、前記遊技盤１０に設けたレール１２に沿って遊技領域１４に打出された遊技球Ｓは、遊技盤１０上に設けた遊技釘等に接触して流下方向を変更しながら流下する。そして、前記遊技領域１４を流下する遊技球Ｓが前記始動通過口２４を通過すると、前記普通図柄表示装置２２において普通図柄変動ゲームが開始される。普通図柄変動ゲームの結果、前記普通図柄表示装置２２に当り図柄が表示されると、前記始動入賞装置２０の第１,第２羽根部材２６,２８が開放状態になり、前記下方入賞口４６への遊技球Ｓの入賞が許容される。また、前記上方入賞口４２または下方入賞口４６に遊技球Ｓが入賞すると、前記特別図柄表示装置１６において所要の特別図柄変動ゲームが開始されると共に、前記球払出装置により所定数の賞球(上方入賞口４２に入賞した場合は３個、下方入賞口４６に入賞した場合は４個の賞球)が払出される。そして、特別図柄変動ゲームの結果、特別図柄表示装置１６に特定の図柄組合わせ(大当り図柄)が表示されると、前記特別遊技が発生する。
【００３２】
前記普通図柄表示装置２２の当り図柄の表示に伴なう始動入賞装置２０の具体的な動作としては、前記ソレノイド５２が非励磁状態から励磁状態へと作動すると、図１２に示す如く、前記係合突部８０ａの後端と前記連繋孔５４ａの後端とが当接する状態から、図１３に示すように、第１作動部材５４が後方へスライドして、係合突部８０ａの前端が連繋孔５４ａの前端に当接した状態へと移行される。これにより、第１作動部材５４の当接部５４ｂと前記被当接部８０ｂとの当接が解除され、更に第１作動部材５４が後方スライドすることで前記第２作動部材５６が前記揺動軸７６ａ,７８ａを中心に前端が上方(図１３における時計回り方向)へ揺動する。ここで、前記連繋孔５４ａの開口寸法を前記係合突部８０ａの横断面積よりも大きく設定することで、若干の遊び(図１３の隙間Ｔ)が確保されている。これにより、前記第１作動部材５４が後方へスライドしても直ちに係合突部８０ａが連繋孔５４ａと係合することはなく、前記当接部５４ｂと被当接部８０ｂとの係合が解除された後に、係合突部８０ａと連繋孔５４ａとの係合が行なわれる。すなわち、第２作動部材５６は、当接部５４ｂによる規制が解除された後に揺動されるので、第１,第２作動部材５４,５６のスムーズな作動が実現され、故障等の発生を防止し得る。
【００３３】
前記第１作動部材５４によって第２作動部材５６が揺動して前記第１,第２アーム部材７６,７８が上昇することで、両アーム部材７６,７８に係合する突起部２６ａ,２８ａが持ち上げられ、第１,第２羽根部材２６,２８を開放させる。この時、第１,第２羽根部材２６,２８の開放位置は、前記突起部２６ａ,２８ａが取付部材４０の開口部６２に設けた第１係合部６２ａ,６２ａに係合すると共に(図７参照)、前記飾り部材４８の第２係合部６８ａ,６８ａが前記溝部２６ｃ,２８ｃと係合することで(図９参照)規制されるので、第１,第２羽根部材２６,２８の開放位置(開放角度)を確実に規制することが可能となる。
【００３４】
第１,第２羽根部材２６,２８が開放すると、前記下方入賞口４６への遊技球Ｓの入賞が許容される。下方入賞口４６に入賞した遊技球Ｓは、前記飾り部材４８の球誘導部７２を転動し、前記取付部材４０の開口部６２を介して遊技盤１０の裏側へ転動する。そして、図５に示すように、前記下方案内路６０を介して遊技球Ｓは後方へ案内され、図１５に示すように、前記第１,第２アーム部材７６,７８および連結部材８４により画成される空間９０を通過し、前記下方球排出口６０ａおよび下方球検出センサ８８の通孔部８８ａを介して下方へ排出される。このとき、前記下方球検出センサ８８が遊技球Ｓを検出して、前記所定数の賞球が払い出される。なお、前記規制部材４４に形成された上方入賞口４２は、常に上方に開放しており、遊技球Ｓの入賞が許容されている。この上方入賞口４２に遊技球Ｓが入賞すると、図４に示すように、遊技球Ｓは、前記樋状部６６を転動して上方案内路５８へ通出され、上方球排出口５８ａおよび上方球検出センサ８６の通孔部８６ａを介して下方へ排出される。このとき、前記下方入賞口４６へ入賞した場合と同様に、前記上方球検出センサ８６がこの遊技球Ｓを検出し、所定数の賞球が払い出される。なお、前述したように、遊技球Ｓが上方入賞口４２に入賞した場合と、下方入賞口４６に入賞した場合とでは、払い出される賞球の数が異なるよう設定されており、遊技の趣向が高められている。
【００３５】
前記ソレノイド５２の非励磁状態にあっては、始動入賞装置２０の第１,第２羽根部材２６,２８は閉成位置に維持される。すなわち、図１２に示すように、第１作動部材５４は、該第１作動部材５４の当接部５４ｂが第２作動部材５６の被当接部８０ｂに当接した状態のまま停止している。これにより、前記第２作動部材５６の揺動が規制され、前記第１,第２羽根部材２６,２８の強制開放は基本的に抑制されることとなる。ところが、ソレノイド５２の非励磁状態にあって、第１,第２羽根部材２６,２８の強制開放を完全に遮断してしまうと、遊技機の検査工程で実施される始動入賞装置２０の賞球確認を行なうことができなくなる弊害が生じてしまう。すなわち、一般的な検査工程では、ソレノイド５２に通電することなく前記賞球確認を行なうので、ソレノイド５２が非励磁状態にある場合に、第１,第２羽根部材２６,２８の強制開放を不能とすると、遊技球Ｓの賞球確認も実施不可能となってしまう。そこで、実施例に係る始動入賞装置２０にあっては、ソレノイド５２の非励磁状態においても、第１羽根部材２６に対する遊技球１球分の強制開放が許容されている。すなわち、第１作動部材５４と第２作動部材５６との連繋部８０を、第２羽根部材２８側に偏倚させた位置に設け、該連繋部８０から第１アーム部材７６の前端までの部位(前記可撓領域８２)が、連繋部８０から第２アーム部材７８の前端までの部位よりも弾性変形量が大きくなるようにしてある。従って、ソレノイド５２が非励磁状態であって前記第１作動部材５４が第２作動部材５６の揺動を規制していても、前記可撓領域８２が弾性変形して撓むことにより、前記第１羽根部材２６を遊技球略１球分だけ強制開放させることができる。これにより、前記賞球確認を効率的に行ない得る。
【００３６】
しかも、第１羽根部材２６を強制開放し得る量は遊技球略１球分に設定されているので、仮に遊技機の隙間から前記遊技領域１４内へ針金等を侵入させて第１羽根部材２６を強制的に開放させたとしても、前記下方入賞口４６に遊技球Ｓを１球ずつしか入賞させることができず、不正に獲得し得る賞球の数は僅かである。更に、前記連繋部８０から第２羽根部材２８までの距離Ｌ1は、連繋部８０から第１羽根部材２６までの距離Ｌ1＋Ｌ2よりも小さく設定されている。従って、第２羽根部材２８を強制開放させた場合に、連繋部８０から第２アーム部材７８の前端までの部位が弾性変形し得る量は、可撓領域８２の弾性変形量よりも小さい。すなわち、第２羽根部材２８を強制開放したとしても、該第２羽根部材２８を開放し得る量は遊技球１球分よりも小さいので、遊技球Ｓを下方入賞口４６の第２羽根部材２８側から不正に入賞させることは不可能となる。
【００３７】
更に、実施例に係るソレノイド５２は、図３に示すように、ケーシング５０における前記第２アーム部材７８側に偏倚した位置に設けられている。また、前記上方案内路５８は、上方入賞口４２から略水平後方へ延在するよう設けられており、ソレノイド５２の側方に位置する上方球排出口５８ａから遊技球Ｓを排出する。更に、下方入賞口４６に連通する下方案内路６０も略水平後方へ延在し、ソレノイド５２の前方側で遊技球Ｓを排出するよう構成されている。このように、ソレノイド５２や上下の案内路５８,６０を、ケーシング５０の内部スペースを最大限に有効利用して配置したので、始動入賞装置２０全体をコンパクトにすることができる。更にまた、上方球検出センサ８６および下方球検出センサ８８も、前記上方,下方案内路５８,６０の配設位置に対応して前後の位置関係で配設されており、始動入賞装置２０のコンパクト化が図られている。
【００３８】
以上に示したように、実施例に係る始動入賞装置２０は、ソレノイド５２の非励磁状態(非作動時)において、第１作動部材５４が第２作動部材５６を規制して第１,第２羽根部材２６,２８を閉成状態に維持するので、第１,第２羽根部材２６,２８の不正な強制的開放を抑制し得る。しかも、第２作動部材５６における第１作動部材５４との連繋部８０から第１羽根部材２６との連繋部までの部位を可撓可能に構成したので、第１作動部材５４により第２作動部材５６が規制された状態であっても、第１羽根部材２６を遊技球略１球分だけ強制的に開放することができる。従って、遊技機の検査工程で実施される始動入賞装置２０の賞球確認を効率的に行なうことができる。しかも、第１,第２羽根部材２６,２８のうち、強制開放し得るのは第１羽根部材２６だけであり、しかも開放量は遊技球略１球分だけに制限されるので、不正な目的で第１羽根部材２６が開放されたとしても、下方入賞口４６に入賞し得る遊技球Ｓの数量を僅かに抑制することができる。
【００３９】
また、第１作動部材５４を、第２作動部材５６に対して第２羽根部材２８との連繋部８０側に偏倚して連繋させたので、前記可撓領域８２の距離は、第１作動部材５４との連繋部８０から第２羽根部材２８との連繋部までの距離よりも長くなる。従って、第１羽根部材２６を強制的に開放させると、前記可撓領域８２が撓んで、該第１羽根部材２６を遊技球略１球分だけ開放させることができる。しかも、第１作動部材５４を偏倚させて連繋するだけで第１羽根部材２６における遊技球略１球分の強制開放を許容し得るので、新たな部材や材質変更等を必要とせず製造コストを低廉に抑えることができる。なお、第２羽根部材２８を強制開放したとしても、遊技球１球分より大きく開放させることはできないので、該第２羽根部材２８からの不正な遊技球Ｓの入賞を阻止し得る。
【００４０】
更に、実施例においては、入賞口４２,４６を上下に備えているので、遊技の趣向を高めることが可能となる。また、ソレノイド５２や上下の案内路５８,６０等を装置本体３８のケーシング５０に一体的に設けて、始動入賞装置２０を１つのユニットとして構成したので、遊技機の製造工程での取付けや持ち運び等の取扱いが容易となり作業効率を向上し得る。しかも、ソレノイド５２を第２アーム部材７８の後方側に偏倚して設け、上方案内路５８および下方案内路６０をケーシング５０の内部にスペース効率よく配置したので、始動入賞装置２０全体の寸法を小さくすることができる。更に、上方案内路５８および下方案内路６０において、対応する上方球検出センサ８６および下方球検出センサ８８を前後の位置関係で配設すると共に、両センサ８６,８８で検出した遊技球Ｓを下方へ通出するよう構成したので、ケーシング５０内部のスペースを有効利用することができ、始動入賞装置２０全体をコンパクトにし得る。
【００４１】
〔変更例〕
なお、本発明に係る入賞装置としては、実施例のものに限られるものではなく、種々の変更が可能である。実施例では、入賞装置を、特別図柄変動ゲームを開始させる契機となる始動入賞装置２０として採用した場合を示したが、本発明に係る入賞装置はこれに限られるものでなく、例えば、図１に示す一般入賞装置３２に開閉部材を設けたような、入賞することで単に賞球が払い出されるものとして本発明に係る入賞装置を採用することが可能である。また、本実施例の始動入賞装置２０は、閉成した第１,第２羽根部材２６,２８と規制部材４４とにより遊技球Ｓの下方入賞口４６への入賞を阻止するよう構成したが、例えば、閉成時の第１,第２羽根部材２６,２８が遊技球Ｓの直径寸法よりも狭くなるまで近接するよう設定して、規制部材４４を設けなくても遊技球Ｓの入賞を阻止し得る構成であってもよい。更に、実施例で示した第１,第２羽根部材２６,２８の形状は、所謂フラップ状に形成されてものであったが、例えば、各羽根部材が三日月状に湾曲した形状であってもよい。この場合、両羽根部材が最も離間する距離を遊技球Ｓの直径よりも小さく設定することで、前方からの遊技球Ｓの入賞を規制することができる。
【００４２】
また、実施例では、前記連繋部８０の位置を偏倚させ、該連繋部８０から第１,第２アーム部材７６,７８の前端までの距離に差異を設けることで、第１羽根部材２６についての遊技球略１球分の強制開放を可能とした。しかしながら、第２作動部材５６の弾性変形の構造については、実施例に限られる訳でなく、他の構造を適宜採用することも可能である。すなわち、前記可撓領域８２が、第１羽根部材２６の遊技球略１球分の開放を許容するだけの弾性変形量を有していればよく、例えば、可撓領域８２の厚みを薄くして弾性率を大きくすることで、前記連繋部８０の位置を偏倚させずに前記連結部材８４の中央部に設定したとしても、第１羽根部材２６の強制開放を許容することは可能である。更には、前記連繋部８０を連結部材８４の中央部に設け、該連結部材８４における可撓領域８２側を弾性率の大きい材質とし、連結部材８４における可撓領域８２以外の部分を弾性率の小さい材質に変更することも可能である。すなわち、連結部材８４の半分を弾性変形可能とし、残る半分を弾性変形し難くすることで、前記第１羽根部材２６を強制開放した際に、連結部材８４の第１羽根部材２６側のみが撓み、該第１羽根部材２６の開放が許容される。しかも、連結部材８４の可撓領域８２以外の部分は弾性率が小さく設定されるので、第２羽根部材２８の強制開放については規制される。
【００４３】
更に実施例においては、始動入賞装置２０の第１羽根部材２６を強制開放可能とし、第２羽根部材２８を強制開放不能としていたが、逆の構成であってもよい。この場合、図１７に示すように、前記上方案内路５８を第２羽根部材２８側(図の右側)に、また前記ソレノイド５２を第１羽根部材２６側(図の左側)に設けると共に、図１６に示すように、前記連繋部８０を第１羽根部材２６側に偏倚して設けられる。このように、第２羽根部材２８(すなわち、図１では遊技盤１０の右側の羽根部材)を強制開放可能とするメリットは、例えば図１８に示すような、近年多く提案されている遊技領域１４中央の右全体を覆うようにしてセンター役物９２が配設された遊技機に対して殊に好適に発揮されることとなる。この種の遊技機では、前記センター役物９２の右側を通過するよう遊技球Ｓを発射(所謂、右打ち)したとしても、図１８の矢印に示すように、遊技球Ｓは遊技領域１４における右側の領域１４ａを通過して全てアウト口３４から排出されるようになっている。すなわち、図１８に示す遊技機において遊技球Ｓが始動入賞装置２０に入賞するケースとしては、遊技盤１０(センター役物９２)の左側を遊技球Ｓが落下した場合に限定される。また、図１８に示す遊技機とは異なり、センター役物９２の右側を通過した遊技球Ｓであっても、始動入賞装置２０に入賞し得るよう設定されたタイプの遊技機(図示せず)も提案されている。しかしながら、この種の遊技機で右打ちを行なったとしても、遊技球Ｓがセンター役物９２の右側を通過して始動入賞装置２０に入賞するのは、釘等によって変則的に跳ね返されて偶発的に入賞した場合に限られ、殆どの遊技球Ｓはアウト口３４から排出されるようになっている。すなわち、この種の遊技機において、センター役物９２の右側を通過した遊技球Ｓが始動入賞装置２０へ入賞することは極めて稀であり、始動入賞装置２０への入賞は、図１８で示した遊技機と同様に、主としてセンター役物９２の左側を通過した遊技球Ｓによって行なわれる。
【００４４】
そして、前述した何れのタイプの遊技機において、センター役物９２の左側を通過した遊技球Ｓが始動入賞装置２０の右側(すなわち、第２開閉部材２８側)から入賞する例としては、釘等によって遊技球Ｓが始動入賞装置２０を飛び越えた後に、該始動入賞装置２０の右側から入賞する場合や、センター役物９２に設けられたワープゾーン９６を介して遊技球Ｓがステージ９８上を転動した後、始動入賞装置２０の右側から入賞するような場合が挙げられる。しかしながら、遊技球Ｓが始動入賞装置２０を飛び越えて右側から入賞する場合は、左側から入賞する場合に比べて極めて確率的に低く、基本的に遊技球Ｓは始動入賞装置２０の左側から入賞されることとなる。すなわち、前述した２種のタイプの遊技機において、遊技球Ｓの入賞は、始動入賞装置２０の左側からがメインとなる。従って、右側の羽根部材(第２羽根部材２８)を強制開放可能とすることで、仮に針金等を遊技領域１４に侵入させて第２羽根部材２８を不正に開放させたとしても、第２羽根部材２８から入賞し得る遊技球Ｓの数は極めて少なく、左側の羽根部材(第１羽根部材２６)を不正に開放された場合に比べて被る被害を小さくすることができる。すなわち、近年提案されている大型のセンター役物９２が配設された遊技機においては、この変更例で示したような、右側の羽根部材(第２羽根部材２８)を強制開放可能とした始動入賞装置２０が殊に好適に採用される。
【００４５】
実施例では、第１,第２羽根部材２６,２８を作動する駆動源としてソレノイド５２を採用したが、駆動装置としてはソレノイド５２に限定されず、モータとラック−ピニオンの組合せ等、従来公知の各種の手段を採用できる。また、第１作動部材５４および第２作動部材５６との連繋構造についても、実施例の構造に限られず、所要に応じて変更すればよい。
【００４６】
なお、本発明の具体構成としては、以下の限定が可能である。
［付記１］
前記装置本体(38)は、前記遊技盤(10)の表側に臨む取付部材(40)と、該取付部材(40)の前側に配設した飾り部材(48)とを備え、該飾り部材(48)と取付部材(40)との間に前記第１,第２開閉部材(26,28)が配設されると共に、前記取付部材(40)に前記規制部材(44)が一体成形されている請求項２〜５の何れかに記載の入賞装置。
付記１に係る発明では、開閉部材と規制部材とを一体として取り扱うことが可能となり、開閉部材や規制部材の遊技盤への取付け工程を低減し得る。
［付記２］
前記飾り部材(48)の裏面に、前記第１,第２開閉部材(26,28)に形成した溝部(26c,28c)と係合する第２係合部(68a,68a)が設けられると共に、前記取付部材(40)に、前記第１,第２開閉部材(26,28)に形成した突起部(26a,28a)に係合する第１係合部(62a,62a)が設けられ、第１および第１係合部(62a,62a)により第１,第２開閉部材(26,28)の開放位置および閉成位置を規制するようにした。
付記２に係る発明では、開閉部材の開放量を第１および第１係合部により規制するので、開閉部材の開放位置および閉成位置の位置決めを確実に行なうことが可能となる。
［付記３］
前記第１,第２開閉部材(26,28)は、その外側面(26d,28d)が開放位置において前記飾り部材(48)に接触しないよう設定されている。
付記３に係る発明では、開閉部材の外側面が、開放位置において飾り部材に接触しないよう設定されているので、開閉部材の開放角度を安定的に保持し得る。
【図面の簡単な説明】
【００４７】
【図１】実施例に係る始動入賞装置を取付けた遊技盤を示す正面図である。
【図２】実施例に係る始動入賞装置の正面図であって、第１羽根部材を強制開放させた状態を示す。
【図３】実施例に係る始動入賞装置の装置本体を示す説明平面図である。
【図４】装置本体を示す縦断側面図である。
【図５】装置本体を図４とは異なる部位で縦断した側面図である。
【図６】取付部材および第１,第２羽根部材を示す背面図であって、第１,第２羽根部材が閉成した状態を示す。
【図７】取付部材および第１,第２羽根部材を示す背面図であって、第１,第２羽根部材が開放した状態を示す。
【図８】飾り部材および第１,第２羽根部材を示す正面図であって、第１,第２羽根部材が閉成した状態を示す。
【図９】飾り部材および第１,第２羽根部材を示す正面図であって、第１,第２羽根部材が開放した状態を示す。
【図１０】実施例に係る始動入賞装置の要部を示す斜視図であって、第１,第２羽根部材の閉成状態を示す。
【図１１】実施例に係る始動入賞装置の要部を示す斜視図であって、第１,第２羽根部材の開放状態を示す。
【図１２】第１作動部材および第２作動部材の連繋構造を概略的に示す説明図であって、第２作動部材が第１作動部材によって揺動規制された状態を示す。
【図１３】第１作動部材および第２作動部材の連繋構造を概略的に示す説明図であって、第１作動部材による規制が解除されて第２作動部材が揺動した状態を示す。
【図１４】上方案内路およびソレノイドの配設位置を概略的に示す説明図である。
【図１５】下方案内路およびソレノイドの配設位置を概略的に示す装置本体の概略横断面図である。
【図１６】変更例に係る始動入賞装置の要部を示す斜視図である。
【図１７】変更例に係る装置本体を示す概略平面図である。
【図１８】変更例に係る始動入賞装置を、大型のセンター役物が実装された遊技盤に配設した場合を示す正面図である。
【符号の説明】
【００４８】
１０ 遊技盤，２６ 第１羽根部材(第１開閉部材)
２８ 第２羽根部材(第２開閉部材)，３８ 装置本体
４２ 上方入賞口，４４ 規制部材，４６ 下方入賞口(入賞口)
５２ ソレノイド(駆動装置)，５４ 第１作動部材，５６ 第２作動部材
５８ 上方案内路，６０ 下方案内路，７６ 第１アーム部材
７８ 第２アーム部材，８０ 連繋部，８２ 可撓領域(部位)，８４ 連結部材
８６ 上方球検出センサ(上検知スイッチ)
８８ 下方球検出センサ(下検知スイッチ)，９０ 空間，Ｓ 遊技球
【図１】
0004677362.tif 000002
【図２】
0004677362.tif 000003
【図３】
0004677362.tif 000004
【図４】
0004677362.tif 000005
【図５】
0004677362.tif 000006
【図６】
0004677362.tif 000007
【図７】
0004677362.tif 000008
【図８】
0004677362.tif 000009
【図９】
0004677362.tif 000010
【図１０】
0004677362.tif 000011
【図１１】
0004677362.tif 000012
【図１２】
0004677362.tif 000013
【図１３】
0004677362.tif 000014
【図１４】
0004677362.tif 000015
【図１５】
0004677362.tif 000016
【図１６】
0004677362.tif 000017
【図１７】
0004677362.tif 000018
【図１８】
0004677362.tif 000019